(57)【要約】【課題】ハンガーのフックを係止するために、別部材が不要で、かつ極めて簡素な構造でフック係止部を構成できる衣類用ダンボール箱を提供する。【解決手段】本考案の衣類用ダンボール箱１は、底壁部２と、底壁部２の周囲に設けられた側壁部３，４，５，６とを有した衣類用ダンボール箱であって、側壁部３，４，５，６は巻回して構成された巻回部３を有しており、巻回部３は、ハンガーのフックを挿入可能なフック挿入孔７を備えたフック挿入片８を有し、フック挿入片８を巻回部３内に向かって折曲することによりフック係止部９が形成される。このように、本考案の衣類用ダンボール箱１は、フック係止部を構成するための別部材が不要で、かつ極めて簡素な構造でフック係止部を形成することができる。【選択図】図５
0003147410.tif 000002
【実用新案登録請求の範囲】
【請求項１】
底壁部と、該底壁部の周囲に設けられた側壁部とを有した衣類用ダンボール箱であって、該側壁部は巻回して構成された巻回部を有しており、該巻回部は、ハンガーのフックを挿入可能なフック挿入孔を備えたフック挿入片を有し、該フック挿入片を前記巻回部内に向かって折曲することによりフック係止部が形成されることを特徴とする衣類用ダンボール箱。
【請求項２】
前記フック挿入片は、１または２個のフック挿入孔を有し、前記衣類用ダンボール箱はハンガーに掛けられた１または２枚の衣類を収容可能に形成されている請求項１に記載の衣類用ダンボール箱。
【請求項３】
前記巻回部は、該巻回部内に向かって折曲されることによりハンガーのフックを前記巻回部内に侵入させるためのフック挿入口形成片を有している請求項１または２に記載の衣類用ダンボール箱。
【請求項４】
前記フック挿入口形成片は、ハンガーのフック基端部付近を係止するためのフック基端部係止孔を有し、フック係止部にハンガーのフックを係止した後、初期位置に復元させると、フック基端部付近を係止するように構成されている請求項３に記載の衣類用ダンボール箱。
【請求項５】
前記フック挿入口形成片の上部には、該フック挿入口形成片の巻回部内に向かう折曲および初期位置への復元を操作するためのフック挿入口形成片操作部が設けられている請求項４に記載の衣類用ダンボール箱。
【請求項６】
前記フック挿入口形成片操作部は、山折形成部と該山折形成部の一端に設けられた指挿入口とを有し、前記山折形成部により山折り部が形成されると前記フック挿入口形成片が前記巻回部内に向かって折曲され、前記山折形成部が平坦になると前記フック挿入口形成片が初期位置に復元するように構成されている請求項５に記載の衣類用ダンボール箱。
【請求項７】
前記巻回部と対向する側壁部は、収容した衣類の下部付近を上方から押さえるための衣類押さえ片を有している請求項１ないし６のいずれかに記載の衣類用ダンボール箱。
【請求項８】
前記衣類用ダンボール箱は、一枚のダンボール紙にて形成されている請求項１ないし７のいずれかに記載の衣類用ダンボール箱。
【請求項９】
前記衣類用ダンボール箱は、上面側を被覆するための被包体を備えている請求項１ないし８のいずれかに記載の衣類用ダンボール箱。
【考案の詳細な説明】
【技術分野】
【０００１】
本考案は、洋服等衣類をハンガーに掛けた状態で収容し搬送可能な衣類用ダンボール箱に関する。
【背景技術】
【０００２】
従来より、洋服等衣類をハンガーに掛けた状態で収容し搬送可能な衣類用ケースが種々提案されている。
この種の衣類用ケースには、ハンガーに掛けた衣類がケース内で自由に移動して皺になることがないように、ハンガーのフックを係止する部位が設けられている。
例えば、そのようなものとして、図９に示したように、衣類用ケース８０内にハンガー係止用パイプ８１を掛け渡し、このハンガー係止用パイプ８１にハンガーのフックを引っ掛けるもの（実用新案登録第３０３１６８７号公報）や、ダンボールの一部を巻回して長尺状管体を形成し、この長尺状管体にハンガーのフックを引っ掛けるもの（特許第３９１９９８７号公報）などがある。
【０００３】
しかし、前者のものは別部材からなるハンガー係止用パイプ８１が必要であり、後者のものはハンガーのフックを引っ掛けるための細い長尺状管体の形成に難点がある。
【特許文献１】実用新案登録第３０３１６８７号公報
【特許文献２】特許第３９１９９８７号公報
【考案の開示】
【考案が解決しようとする課題】
【０００４】
そこで、本考案の課題は、ハンガーのフックを係止するために、別部材が不要で、かつ極めて簡素な構造でフック係止部を構成できる衣類用ダンボール箱を提供することにある。
【課題を解決するための手段】
【０００５】
上記課題を解決するものは、底壁部と、該底壁部の周囲に設けられた側壁部とを有した衣類用ダンボール箱であって、該側壁部は巻回して構成された巻回部を有しており、該巻回部は、ハンガーのフックを挿入可能なフック挿入孔を備えたフック挿入片を有し、該フック挿入片を前記巻回部内に向かって折曲することによりフック係止部が形成されることを特徴とする衣類用ダンボール箱である。
【０００６】
前記フック挿入片は、１または２個のフック挿入孔を有し、前記衣類用ダンボール箱はハンガーに掛けられた１または２枚の衣類を収容可能に形成されていることが好ましい。前記巻回部は、該巻回部内に向かって折曲されることによりハンガーのフックを前記巻回部内に侵入させるためのフック挿入口形成片を有していることが好ましい。前記フック挿入口形成片は、ハンガーのフック基端部付近を係止するためのフック基端部係止孔を有し、フック係止部にハンガーのフックを係止した後、初期位置に復元させると、フック基端部付近を係止するように構成されていることが好ましい。前記フック挿入口形成片の上部には、該フック挿入口形成片の巻回部内に向かう折曲および初期位置への復元を操作するためのフック挿入口形成片操作部が設けられていることが好ましい。前記フック挿入口形成片操作部は、山折形成部と該山折形成部の一端に設けられた指挿入口とを有し、前記山折形成部により山折り部が形成されると前記フック挿入口形成片が前記巻回部内に向かって折曲され、前記山折形成部が平坦になると前記フック挿入口形成片が初期位置に復元するように構成されていることが好ましい。前記巻回部と対向する側壁部は、収容した衣類の下部付近を上方から押さえるための衣類押さえ片を有していることが好ましい。前記衣類用ダンボール箱は、一枚のダンボール紙にて形成されていることが好ましい。前記衣類用ダンボール箱は、上面側を被覆するための被包体を備えていることが好ましい。
【考案の効果】
【０００７】
請求項１に記載の考案によれば、ハンガーのフックを係止するために、別部材が不要で、かつ極めて簡素な構造でフック係止部を構成できる。
請求項２に記載の考案によれば、衣類の宅配などに好適に使用できる。
請求項３に記載の考案によれば、ハンガーのフックを巻回部内に容易に挿入できる。
請求項４に記載の考案によれば、衣類用ダンボール箱内においてハンガーを定位置により保持できる。
請求項５に記載の考案によれば、フック挿入口形成片の巻回部内への折曲および初期位置への復元操作を容易に行うことができる。
請求項６に記載の考案によれば、フック挿入口形成片の巻回部内への折曲および初期位置への復元操作をより容易に行うことができる。
請求項７に記載の考案によれば、衣類用ダンボール箱内において衣類を定位置により保持できる。
請求項８に記載の考案によれば、上記効果を奏する衣類用ダンボール箱を低廉かつ容易に製作できる。
請求項９に記載の考案によれば、搬送および保管に際して衣類をより保護できる。
【考案を実施するための最良の形態】
【０００８】
本考案の衣類用ダンボール箱は、側壁部が巻回して構成された巻回部を有しており、この巻回部はハンガーのフックを挿入可能なフック挿入孔を備えたフック挿入片を有し、フック挿入片を巻回部内に向かって折曲することによりフック係止部が容易に形成されるため、フック係止部を構成するために別部材が不要で、かつ極めて簡素な構造でフック係止部の形成を実現した。
【実施例１】
【０００９】
図１は本考案の衣類用ダンボール箱の一実施例の組立状態を示した斜視図であり、図２ないし図５は図１に示した衣類用ダンボール箱の使用方法を説明するための斜視図であり、図６は図１に示した衣類用ダンボール箱を被包する被包体の斜視図であり、図７は図１に示した衣類用ダンボール箱の展開平面図であり、図８は図６に示した被包体の展開平面図である。
【００１０】
この実施例の衣類用ダンボール箱１は、底壁部２と、底壁部２の周囲に設けられた側壁部３，４，５，６とを有した衣類用ダンボール箱であって、側壁部３，４，５，６は巻回して構成された巻回部３を有しており、巻回部３は、ハンガーのフックを挿入可能なフック挿入孔７を備えたフック挿入片８を有し、フック挿入片８を巻回部３内に向かって折曲することによりフック係止部９が形成される。以下、各構成について順次詳述する。
【００１１】
底壁部２は、衣類を載置するための部位であり、衣類用ダンボール箱１内に収容しようとする衣類を載置可能な長さ（長手方向の長さ）および幅に形成されている。
【００１２】
底壁部２の周囲（四方）には、図１に示すように、それぞれ側壁部３，４，５，６が設けられている。側壁部３は後述する巻回部３であり、側壁部４または側壁部５は、図７に示すように、底壁部２に連設された側壁用片４ａ，５ａをそれぞれ折れ線４ｂ，５ｂに沿って内側に向かって折り曲げ起立させることにより構成されている。
【００１３】
側壁部６は、図７に示すように、底壁部２に連設された側壁用片６ａと、側壁用片６ａに連設された上面構成片６ｂと，上面構成片６ｂに連設され収容した衣類の下部付近を上方から押さえるための衣類押さえ片６ｃとを、それぞれ折れ線６ｄ，６ｅ，６ｆに沿って内側に向かって順次折り曲げて構成されている。
【００１４】
より具体的には、側壁用片６ａは底壁部２に対して直角に折曲され起立されて側壁を形成する。上面構成片６ｂは側壁用片６ａに対して直角に折曲され上面を形成する。衣類押さえ片６ｃは、上面構成片６ｂとの間に形成される角度が鋭角になるように折曲され、衣類押さえ部６ｗにより収容した衣類を上方より軽く押圧すると共に、衣類の下端部を巻回してその上面に載置させることができる。
【００１５】
そして、前記状態で、衣類押さえ６ｃの両側付近に設けられた切り込み６ｇ，６ｈをそれぞれ側壁用片４ａ，５ａの図７中下部付近に設けられた切り込み４ｃ，５ｃに上方から挿入する。さらに、上面構成片６ｂの両端にそれぞれ設けられた固定用片６ｊ，６ｋをそれぞれ２本の折れ線に沿って内側に直角に折り曲げ、先端に設けられた差し込み片６ｍ，６ｎを側壁部４，５に設けられた差し込み穴４ｄ，５ｄに側壁部４，５の外側から差し込んで側壁部６が構成されている。
【００１６】
巻回部３は、図５に示すように、一つの側壁部を構成すると共に、ハンガー７０のフック７１を係止するためのフック係止部９を有する部位である。
この巻回部３は、図７に示すように、底壁部２に連設され外側において側壁面を構成する外側壁用片３ａ（ＴＯＰの文字が刻設された片）と、外側壁用片３ａに連設された上面構成片３ｂと，上面構成片３ｂに連設され内側において側壁面を構成する内側壁用片３ｃと、内側壁用片３ｃに連設され底壁部２の内面に面当接する内底壁当接片３ｄと、内底壁当接片３ｄに連設され外側壁用片３ａの内面に面当接する外側壁当接片３ｅとを、それぞれ折れ曲げ線３ｐ，３ｒ，３ｆ，３ｇ，３ｈに沿って内側に向かって順次折り曲げ巻回して構成されている。
【００１７】
より具体的には、外側壁用片３ａは底壁部２に対して直角に折曲され起立されて外側壁を形成する。上面構成片３ｂは外側壁用片３ａに対して直角に折曲されて上面を形成する。内側壁用片３ｃは上面構成片３ｂに対して直角に折曲されて内側壁を形成する。内底壁当接片３ｄは内側壁用片３ｃに対して直角に折曲されて底壁部２の内面に面当接する。外側壁当接片３ｅは内底壁当接片３ｄに対して直角に折曲されて外側壁用片３ａの内面に面当接する。
【００１８】
そして、前記状態で、内側壁用片３ｃの両側に設けられた固定用片３ｊ，３ｋをそれぞれ２本の折れ線に沿って内側に直角に折り曲げ、先端に設けられた差し込み片３ｍ，３ｎを側壁部４，５に設けられた差し込み穴４ｅ，５ｅに側壁部４，５の外側からそれぞれ差し込んで巻回部３が構成されている。
【００１９】
巻回部３は、図４に示すように、ハンガー７０のフック７１を挿入可能なフック挿入孔７を備えたフック挿入片８を有し、衣類用ダンボール箱１は、このフック挿入片８を巻回部３内に向かって折曲することによりフック係止部９が形成されるように構成されている。具体的には、この実施例のフック挿入片８は、図７に示すように、内底壁当接片３ｄの中央部付近に設けられており、長手方向に延びる折り曲げ線８ａ以外の三方は切断されており、図３に示すように、矢印ｕ方向に直角に折曲して起立可能に構成されている。なお、この実施例のフック挿入片８は底面側から起立されるように構成されているが、これに限定されるものではなく、フック挿入片が外壁面、上面或いは内壁面（例えば外側壁用片３ａ，上面構成片３ｂ，内側壁用片３ｃ）に設けられており、外壁面側、上面側或いは内壁面側から巻回部内に向かって折曲されることによりフック係止部が形成されているものも本考案の範疇に包含される。
【００２０】
この実施例のフック挿入片８は、図４に示すように、２個のフック挿入孔７を有しており、これらのフック挿入孔７はフック挿入片８が起立されると上下に位置するように形成されている。そして、この衣類用ダンボール箱１はハンガー７０に掛けられた２枚の衣類を収容可能に形成されている。
【００２１】
また、巻回部３は、図１または図２に示すように、巻回部３内に向かって折曲されることによりハンガー７０のフック７１を巻回部３内に侵入させる開口部を構成するためのフック挿入口形成片１０を有している。フック挿入口形成片１０は、図７に示すように、内側壁用片３ｃの中央部付近に設けられており、長手方向に延びる折り曲げ線に沿って、図２に示すように、矢印ｓ方向に直角に折曲して巻回部３内に侵入可能に構成されている。
【００２２】
そして、フック挿入口形成片１０は、図１に示すように、ハンガー７０のフック基端部７１ａ付近を係止するためのフック基端部係止孔１１ａ，１１ｂを有し、フック係止部９にハンガー７０のフック７１を係止した後、初期位置に復元させると、図５に示すように、フック基端部７１ａ付近を係止するように構成されている。
【００２３】
さらに、フック挿入口形成片１０の上部には、フック挿入口形成片１０の巻回部３内へ向かう折曲および初期位置への復元を操作するためのフック挿入口形成片操作部１２が設けられている。この実施例のフック挿入口形成片操作部１２は、図７に示すように、上面構成片３ｂの中央部付近に設けられており、長手方向に延びる折り曲げ線に沿って、図２に示すように、直角に折曲して上方に向かって略三角形状で突出可能に構成され、それに伴って一体的に構成されているフック挿入口形成片１０が巻回部３内に侵入するように構成されている。
【００２４】
より具体的には、フック挿入口形成片操作部１２は、図５に示すように、山折形成部１２ａと山折形成部１２ａの一端に設けられた指挿入口１２ｂとを有し、山折形成部１２ａが山折れ線１２ｃに沿って山折りされ山折り部（略三角形状部）が形成されると、フック挿入口形成片１０が巻回部３内に向かって折曲され、他方、山折形成部１２ａが平坦になるとフック挿入口形成片１０が初期位置に復元するように構成されている。
【００２５】
なお、この実施例の衣類用ダンボール箱１は、図７に示すように、一枚のダンボール紙にて形成されており、衣類の宅配などに好適に使用できる衣類用ダンボール箱を低廉かつ容易に製作し提供することができる。
【００２６】
また、この衣類用ダンボール箱１は、上面側が開口しているため、主として上面側を被覆するための被包体１３を内に挿入して使用される。被包体１３は、図８に示すような一枚のダンボール紙にて形成されており、衣類用ダンボール箱１を内部に挿入できる長さと幅を備えた上面構成片１３ａと下面構成片１３ｂと、衣類用ダンボール箱１を内部に衣類を挿入可能な高さと長さを備えた側面構成片１３ｃ，１３ｄと、糊代片１３ｅとが連設されており、折り曲げ線に沿って折り曲げ、図６に示すように、四角筒状に構成されている。
【００２７】
つぎに、衣類用ダンボール箱１の使用方法について、図２ないし図５を用いて説明する。
この衣類用ダンボール箱１にてハンガーに掛けた衣類を収容するには、まず、図２に示すように、フック挿入口形成片操作部１２をＳ方向に起立させる。具体的には、指挿入口１２ｂ内に指を挿入して上方に引き上げると、山折れ線１２ｃに沿って山折形成部１２ａが引き上げられ重ね合わされて山折り部（略三角形状部）を形成する。この動作に伴ってフック挿入口形成片１０が巻回部３内に向かって折曲されて開口部が形成される。つぎに、図２に示すように、開口部内に露呈したフック挿入片８を巻回部３内に向かって折曲してｕ方向に起立させるとフック係止部９が形成される（図３および図４の状態）。そして、図４に示すように、衣類を掛けたハンガー７０のフック７１をフック挿入孔７に挿入して係止させる。さらに、図５に示すように、フック挿入口形成片操作部１２を上方より押圧すると、山折形成部１２ａが平坦になり、この動作に伴ってフック挿入口形成片１０が初期位置に復元すると共に、フック基端部係止孔１１ａがフック基端部７１ａ付近を係止してハンガー７０を安定的に保持する。そして、この衣類用ダンボール箱１を被包体１３内に挿入して搬送可能な状態とする。
【００２８】
このように、衣類用ダンボール箱１は、極めて簡素な構造でハンガーのフックを係止することができると共に、衣類の収容作業も簡単に行えるように考慮されているため、衣類の宅配などに好適に使用できる。
【図面の簡単な説明】
【００２９】
【図１】本考案の衣類用ダンボール箱の一実施例の組立状態を示した斜視図である。
【図２】図１に示した衣類用ダンボール箱の使用方法を説明するための斜視図である。
【図３】図１に示した衣類用ダンボール箱の使用方法を説明するための斜視図である。
【図４】図１に示した衣類用ダンボール箱の使用方法を説明するための斜視図である。
【図５】図１に示した衣類用ダンボール箱の使用方法を説明するための斜視図である。
【図６】図１に示した衣類用ダンボール箱を被包する被包体の斜視図である。
【図７】図１に示した衣類用ダンボール箱の展開平面図である。
【図８】図６に示した被包体の展開平面図である。
【図９】従来の衣類用搬送箱の斜視図である。
【符号の説明】
【００３０】
１    衣類用ダンボール箱
２    底壁部
３    側壁部（巻回部）
４    側壁部
５    側壁部
６    側壁部
７    フック挿入孔
８    フック挿入片
９    フック係止部
１０  フック挿入口形成片
１１  フック基端部係止孔
１２  フック挿入口形成片操作部
１３  被包体
【図１】
0003147410.tif 000003
【図２】
0003147410.tif 000004
【図３】
0003147410.tif 000005
【図４】
0003147410.tif 000006
【図５】
0003147410.tif 000007
【図６】
0003147410.tif 000008
【図７】
0003147410.tif 000009
【図８】
0003147410.tif 000010
【図９】
0003147410.tif 000011